(57)【特許請求の範囲】
【請求項１】
操作部と、
画像データが記憶される画像データ記憶部と、
前記画像データ記憶部に記憶されている前記画像データにより表される画像を、用紙に形成する際に使用される値であり、前記用紙のサイズ、向き及び印刷領域、並びに前記用紙に形成される前記画像の倍率の設定値が記憶される設定記憶部と、
前記画像を前記用紙に形成した場合に、前記画像の面積に対して、前記画像のうち前記印刷領域から、はみ出している部分の面積の割合を示すはみ出し割合を、前記画像データ記憶部に記憶されている前記画像データ及び前記設定記憶部に記憶されている前記設定値を用いて演算するはみ出し割合演算部と、
表示部と、
前記はみ出し割合演算部により演算された前記はみ出し割合を、前記表示部に表示させる表示制御部と、
前記表示部に前記はみ出し割合が表示された後、前記画像を前記用紙に形成する指示を、前記操作部が操作されることにより受け付ける画像形成受付部と、
前記画像形成受付部により前記画像を形成する指示が受け付けられると、前記設定記憶部に記憶されている前記設定値の条件で、前記画像を前記用紙に形成する画像形成部と、を備える画像形成装置。
【請求項２】
プレビューの指示を、前記操作部が操作されることにより受け付けるプレビュー受付部と、
前記プレビュー受付部により前記プレビューの指示が受け付けられると、前記設定記憶部に記憶されている前記設定値の条件で、前記画像データ記憶部に記憶されている前記画像データにより表される前記画像が、前記用紙に形成された場合のプレビュー画像を生成するプレビュー生成部と、を備え、
前記表示制御部は、前記プレビュー生成部により生成された前記プレビュー画像を前記表示部に表示させ、
前記画像形成装置は、前記表示部に前記プレビュー画像が表示された後、前記はみ出し割合を表示する指示を、前記操作部が操作されることにより受け付ける表示受付部を備え、
前記はみ出し割合演算部は、前記表示受付部により前記はみ出し割合を表示する指示が受け付けられると、前記はみ出し割合を演算する請求項１に記載の画像形成装置。
【請求項３】
前記画像形成装置は、前記プレビュー受付部により前記プレビューの指示が受け付けられると、前記画像を前記用紙に形成する場合に、前記印刷領域と前記用紙の余白との境界に白画素が存在するか否かを検出し、前記境界の全部に白画素が存在すれば、前記印刷領域から前記画像がはみ出していないと判定し、前記境界の少なくとも一部に白画素が存在しなければ、前記印刷領域から前記画像がはみ出していると判定するはみ出し判定部を備え、
前記表示制御部は、前記はみ出し判定部により前記印刷領域から前記画像がはみ出していると判定された場合、前記プレビュー画像と一緒に、前記印刷領域から前記画像がはみ出していることを示す報知を、前記表示部に表示させる請求項２に記載の画像形成装置。
【請求項４】
原稿を読み取って前記画像データを生成する原稿読取部と、
前記原稿読取部により生成された前記画像データを、前記画像データ記憶部に記憶させる制御部と、を備える請求項１〜３のいずれか一項に記載の画像形成装置。
【請求項５】
前記はみ出し割合演算部は、前記原稿を読み取って得られた前記画像について、前記原稿の余白に対応する領域を含む白領域を、前記画像から取り除いて得られた切出画像を生成し、前記切出画像の面積に対して、前記切出画像のうち前記印刷領域からはみ出している部分の面積の割合を示す前記はみ出し割合を演算する請求項４に記載の画像形成装置。
【請求項６】
前記はみ出し割合演算部は、前記画像の領域を、左縦ライン、右縦ライン、上横ライン及び下横ラインにより規定して、四角形に切り出すことにより前記切出画像を生成する切出画像生成部を備える請求項５に記載の画像形成装置。
【発明の詳細な説明】
【技術分野】
【０００１】
本発明は、画像形成装置において、用紙の印刷領域から画像がはみ出す場合に対応する技術に関する。
【背景技術】
【０００２】
複合機のような画像形成装置を用いて、画像を用紙に形成して出力する場合、デフォルトの設定では、用紙の印刷領域から画像がはみ出すことがある。印刷領域とは、用紙のサイズからマージンを取り除いた領域であり、画像形成装置が実際に印刷可能な領域をいう。印刷領域から画像がはみ出すと、はみ出した部分は印刷されない(いわゆる「画像の見切れ」)。例えば、デフォルトの設定で、Ａ３サイズの原稿をＡ４サイズの用紙にコピーした場合、原稿の画像が用紙の印刷領域からはみ出し、はみ出した部分は印刷されない。
【０００３】
画像形成装置には、画像を用紙に形成して出力する前に、その画像のプレビュー画像を表示できるものがある(例えば、特許文献１参照)。印刷領域から画像がはみ出している場合、プレビュー画像についても、はみ出した部分が現れないので、画像を用紙に形成して出力する前に、プレビュー画像によって、印刷領域から画像がはみ出していることを発見することが可能である。
【先行技術文献】
【特許文献】
【０００４】
【特許文献１】特開２００６−４１９４７号公報
【発明の概要】
【発明が解決しようとする課題】
【０００５】
原稿のサイズと用紙のサイズとが僅かに異なる場合(例えば、原稿がレターサイズ、用紙がＡ４サイズ)、デフォルトの設定でコピーをすると、画像の印刷領域からのはみ出しは僅かである。プレビュー画像は小さいので、印刷領域から画像が僅かにはみ出している場合、プレビュー画像によって発見することは難しい。
【０００６】
本発明は、用紙の印刷領域から画像がはみ出していることを、画像を用紙に形成して出力する前に、ユーザーに知らせることができる画像形成装置を提供することを目的とする。
【課題を解決するための手段】
【０００７】
上記目的を達成する本発明の一の局面に係る画像形成装置は、操作部と、画像データが記憶される画像データ記憶部と、前記画像データ記憶部に記憶されている前記画像データにより表される画像を、用紙に形成する際に使用される値であり、前記用紙のサイズ、向き及び印刷領域、並びに前記用紙に形成される前記画像の倍率の設定値が記憶される設定記憶部と、前記画像を前記用紙に形成した場合に、前記画像の面積に対して、前記画像のうち前記印刷領域から、はみ出している部分の面積の割合を示すはみ出し割合を、前記画像データ記憶部に記憶されている前記画像データ及び前記設定記憶部に記憶されている前記設定値を用いて演算するはみ出し割合演算部と、表示部と、前記はみ出し割合演算部により演算された前記はみ出し割合を、前記表示部に表示させる表示制御部と、前記表示部に前記はみ出し割合が表示された後、前記画像を前記用紙に形成する指示を、前記操作部が操作されることにより受け付ける画像形成受付部と、前記画像形成受付部により前記画像を形成する指示が受け付けられると、前記設定記憶部に記憶されている前記設定値の条件で、前記画像を前記用紙に形成する画像形成部と、を備える。
【０００８】
本発明によれば、画像データにより表される画像を用紙に形成した場合のはみ出し割合(画像の面積に対して、画像のうち印刷領域から、はみ出している部分の面積の割合)を演算し、表示させることができる。そして、はみ出し割合が表示された後、画像を用紙に形成する指示がされると、画像を用紙に形成して出力する。従って、用紙の印刷領域から画像がはみ出していることを、画像を用紙に形成して出力する前に、ユーザーに知らせることができる。また、印刷領域から画像がはみ出している場合、はみ出し割合を参考にして、画像を用紙に形成して出力するか否かを選択することができる。さらに、本発明によれば、上述のようにして、はみ出し割合を演算し表示するので、プレビュー画像を表示する機能を有さない画像形成装置でも、印刷領域から画像がはみ出していることをユーザーに知らせることができる。
【０００９】
上記構成において、プレビューの指示を、前記操作部が操作されることにより受け付けるプレビュー受付部と、前記プレビュー受付部により前記プレビューの指示が受け付けられると、前記設定記憶部に記憶されている前記設定値の条件で、前記画像データ記憶部に記憶されている前記画像データにより表される前記画像が、前記用紙に形成された場合のプレビュー画像を生成するプレビュー生成部と、を備え、前記表示制御部は、前記プレビュー生成部により生成された前記プレビュー画像を前記表示部に表示させ、前記画像形成装置は、前記表示部に前記プレビュー画像が表示された後、前記はみ出し割合を表示する指示を、前記操作部が操作されることにより受け付ける表示受付部を備え、前記はみ出し割合演算部は、前記表示受付部により前記はみ出し割合を表示する指示が受け付けられると、前記はみ出し割合を演算することができる。
【００１０】
この構成によれば、プレビュー画像の表示後に、はみ出し割合を表示させることができる。これにより、ユーザーは、プレビュー画像及びはみ出し割合を参考にして、画像を用紙に形成して出力するか否かを選択することができる。特に、画像が用紙の印刷領域から僅かだけはみ出しており、そのため、プレビュー画像によって、画像のはみ出しを発見することが難しい場合に、有効である。  
【００１１】
上記構成において、前記画像形成装置は、前記プレビュー受付部により前記プレビューの指示が受け付けられると、前記画像を前記用紙に形成する場合に、前記印刷領域と前記用紙の余白との境界に白画素が存在するか否かを検出し、前記境界の全部に白画素が存在すれば、前記印刷領域から前記画像がはみ出していないと判定し、前記境界の少なくとも一部に白画素が存在しなければ、前記印刷領域から前記画像がはみ出していると判定するはみ出し判定部を備え、前記表示制御部は、前記はみ出し判定部により前記印刷領域から前記画像がはみ出していると判定された場合、前記プレビュー画像と一緒に、前記印刷領域から前記画像がはみ出していることを示す報知を、前記表示部に表示させることができる。
【００１２】
この構成によれば、印刷領域と用紙の余白との境界に白画素が存在するか否かを検出し、境界の全部に白画素が存在すれば、印刷領域から画像がはみ出していないと判定し、境界の少なくとも一部に白画素が存在しなければ、印刷領域から画像がはみ出している判定をする。従って、印刷領域から画像がはみ出しているか否かを、比較的簡単に判定することができる。また、プレビュー画像と一緒に、印刷領域から画像がはみ出していることを示す報知を表示部に表示させている。従って、画像が用紙の印刷領域から僅かだけはみ出しており、そのため、プレビュー画像によって、画像のはみ出しを発見することが難しい場合に、有効である。
【００１３】
上記構成において、原稿を読み取って前記画像データを生成する原稿読取部と、前記原稿読取部により生成された前記画像データを、前記画像データ記憶部に記憶させる制御部と、を備えることができる。
【００１４】
この構成は、本発明に適用できる画像データの一例である。この画像データは原稿読取部で原稿を読み取って生成されたものである。原稿のサイズと用紙のサイズとが僅かに異なる場合(例えば、原稿がレターサイズ、用紙がＡ４サイズ)、これらのサイズが異なることに気づかずに、デフォルトの設定でコピーをすると、画像が印刷領域からはみ出すことがある。このような場合、本発明によれば、画像を用紙に形成して出力する前に、ユーザーに知らせることができる。
【００１５】
上記構成において、前記はみ出し割合演算部は、前記原稿を読み取って得られた前記画像について、前記原稿の余白に対応する領域を含む白領域を、前記画像から取り除いて得られた切出画像を生成し、前記切出画像の面積に対して、前記切出画像のうち前記印刷領域からはみ出している部分の面積の割合を示す前記はみ出し割合を演算することができる。
【００１６】
この構成は、本発明に適用できるはみ出し割合の一例である。原稿の余白に対応する領域を含む白領域が印刷領域からはみ出していても、画像からその白領域を取り除いた、実際の画像領域を含む切出画像が印刷領域に収まっていれば、画像の見た目に影響を及ぼさないことを利用したものである。
【００１７】
上記構成において、前記はみ出し割合演算部は、前記画像の領域を、左縦ライン、右縦ライン、上横ライン及び下横ラインにより規定して、四角形に切り出すことにより前記切出画像を生成する切出画像生成部を備えることができる。
【００１８】
この構成によれば、切出画像を比較的簡単に生成することができる。
【発明の効果】
【００１９】
本発明によれば、用紙の印刷領域から画像がはみ出していることを、画像を用紙に形成して出力する前に、ユーザーに知らせることができる。
【図面の簡単な説明】
【００２０】
【図１】本実施形態に係る画像形成装置の内部構造の概略を示す図である。
【図２】図１に示す画像形成装置の構成を示すブロック図である。
【図３】図形画像を切り出して得られた切出画像を、用紙の印刷領域に配置する工程を説明する工程図である。
【図４】実際の画像領域からなる切出画像の一例を示す図である。
【図５】文字画像を切り出して得られた切出画像を、用紙の印刷領域に配置する工程を説明する工程図である。
【図６】本実施形態に係る画像形成装置を用いて、はみ出し割合を演算して表示する工程を説明するフローチャートの前半である。
【図７】本実施形態に係る画像形成装置を用いて、はみ出し割合を演算して表示する工程を説明するフローチャートの後半である。
【図８】コピー機能の初期画面の一例を示す図である。
【図９】プレビュー画像、及び、印刷領域から画像がはみ出していることを報知する文字画像を含む画面の一例を示す図である。
【図１０】プレビュー画像、印刷領域から画像がはみ出していることを報知する文字画像、及び、はみ出し割合の値を含む画面の一例を示す図である。
【図１１】プレビュー画像、及び、はみ出し割合の表示を案内する文字画像を含む画面の一例を示す図である。
【図１２】本実施形態の変形例に係る画像形成装置を用いて、はみ出し割合を演算して表示する工程を説明するフローチャートである。
【発明を実施するための形態】
【００２１】
以下、図面に基づいて本発明の実施形態を詳細に説明する。図１は本発明の一実施形態に係る画像形成装置１の内部構造の概略を示す図である。画像形成装置１は例えば、コピー、プリンタ、スキャナー及びファクシミリの機能を有するデジタル複合機に適用することができる。画像形成装置１は装置本体１００、装置本体１００の上に配置された原稿読取部２００、原稿読取部２００の上に配置された原稿給送部３００及び装置本体１００の上部前面に配置された操作部４００を備える。
【００２２】
原稿給送部３００は自動原稿送り装置として機能し、原稿載置部３０１に置かれた複数枚の原稿を連続的に原稿読取部２００に送ることができる。
【００２３】
原稿読取部２００は露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２４】
装置本体１００は用紙貯留部１０１、画像形成部１０３及び定着部１０５を備える。用紙貯留部１０１は装置本体１００の最下部に配置されており、用紙の束を貯留することができる用紙トレイ１０７を備える。用紙トレイ１０７に貯留された用紙の束において、最上位の用紙がピックアップローラ１０９の駆動により、用紙搬送路１１１へ向けて送出される。用紙は用紙搬送路１１１を通って、画像形成部１０３へ搬送される。
【００２５】
画像形成部１０３は搬送されてきた用紙にトナー画像を形成する。画像形成部１０３は感光体ドラム１１３、露光部１１５、現像部１１７及び転写部１１９を備える。露光部１１５は画像データ(原稿読取部２００から出力された画像データ、パソコンから送信された画像データ、ファクシミリ受信の画像データ等)に対応して変調された光を生成し、一様に帯電された感光体ドラム１１３の周面に照射する。これにより、感光体ドラム１１３の周面には画像データに対応する静電潜像が形成される。この状態で感光体ドラム１１３の周面に現像部１１７からトナーを供給することにより、周面には画像データに対応するトナー画像が形成される。このトナー画像は転写部１１９によって先ほど説明した用紙貯留部１０１から搬送されてきた用紙に転写される。
【００２６】
トナー画像が転写された用紙は定着部１０５に送られる。定着部１０５において、トナー画像と用紙に熱と圧力が加えられて、トナー画像は用紙に定着される。用紙はスタックトレイ１２１又は排紙トレイ１２３に排紙される。
【００２７】
操作部４００は操作キー部４０１と表示部４０３を備える。表示部４０３はタッチパネル機能を有しており、ソフトキーを含む画面が表示される。ユーザーは画面を見ながらソフトキーを操作することによって、コピー等の機能の実行に必要な設定等をする。
【００２８】
操作キー部４０１にはハードキーからなる操作キーが設けられている。具体的にはスタートキー４０５、テンキー４０７、ストップキー４０９、リセットキー４１１、コピー、プリンタ、スキャナー及びファクシミリを切り換えるための機能切換キー４１３等が設けられている。
【００２９】
スタートキー４０５はコピー、ファクシミリ送信等の動作を開始させるキーである。テンキー４０７はコピー部数、ファクシミリ番号等の数字を入力するキーである。ストップキー４０９はコピー動作等を途中で中止させるキーである。リセットキー４１１は設定された内容を初期設定状態に戻すキーである。
【００３０】
機能切換キー４１３はコピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３１】
図２は図１に示す画像形成装置１の構成を示すブロック図である。画像形成装置１は装置本体１００、原稿読取部２００、原稿給送部３００、操作部４００、制御部５００及び通信部６００が、バスによって相互に接続された構成を有する。装置本体１００、原稿読取部２００、原稿給送部３００及び操作部４００に関しては既に説明したので、説明を省略する。
【００３２】
制御部５００はＣＰＵ(Central Processing Unit)、ＲＯＭ(Read Only Memory)、ＲＡＭ(Random Access Memory)及び画像メモリ等を備える。ＣＰＵは画像形成装置１を動作させるために必要な制御を、装置本体１００等の画像形成装置１の上記構成要素に対して実行する。ＲＯＭは画像形成装置１の動作の制御に必要なソフトウェアを記憶している。ＲＡＭはソフトウェアの実行時に発生するデータの一時的な記憶及びアプリケーションソフトの記憶等に利用される。画像メモリは画像データ(原稿読取部２００から出力された画像データ、パソコンから送信された画像データ、ファクシミリ受信の画像データ等)を一時的に記憶する。
【００３３】
制御部５００は、画像データ記憶部５１、設定記憶部５２、はみ出し割合演算部５３、表示制御部５６、画像形成受付部５７、プレビュー受付部５８、プレビュー生成部５９、表示受付部６０、及び、はみ出し判定部６１の機能を有する。これらの機能は制御部５００に備えられる上記ＣＰＵ、ＲＯＭ及びＲＡＭ等により実現される。
【００３４】
画像データ記憶部５１は、原稿読取部２００から出力された画像データ、パソコンから送信された画像データ、ファクシミリ受信の画像データ等を記憶する。
【００３５】
設定記憶部５２は、画像データ記憶部５１に記憶されている画像データにより表される画像を、用紙に形成する際に使用される値であり、用紙のサイズ、向き及び印刷領域、並びに用紙に形成される画像の倍率の設定値を記憶する。
【００３６】
はみ出し割合演算部５３は、画像を用紙に形成した場合に、画像の面積に対して、画像のうち印刷領域からはみ出している部分(画像の見切れた部分)の面積の割合を示すはみ出し割合を、画像データ記憶部５１に記憶されている画像データ及び設定記憶部５２に記憶されている設定値を用いて演算する。はみ出し割合演算部５３は、切出画像生成部５４とはみ出し部分特定部５５とを含む。これらについては、後で説明する。
【００３７】
表示制御部５６は、表示部４０３に操作画面を表示させる制御をし、例えば、はみ出し割合演算部５３により演算されたはみ出し割合を、表示部４０３に表示させる。また、表示制御部５６は、プレビュー生成部５９(後で説明する)により生成されたプレビュー画像を表示部４０３に表示させる。さらに、表示制御部５６は、はみ出し判定部６１(後で説明する)により印刷領域から画像がはみ出していると判定された場合、プレビュー画像と一緒に、印刷領域から画像がはみ出していることを示す報知を、表示部４０３に表示させる。
【００３８】
画像形成受付部５７は、はみ出し割合が表示部４０３に表示された後、画像を用紙に形成する指示を、操作部４００が操作されることにより受け付ける。画像形成部１０３を含む装置本体１００は、画像形成受付部５７により画像を形成する指示が受け付けられると、設定記憶部５２に記憶されている設定値の条件で、画像を用紙に形成して出力する。
【００３９】
プレビュー受付部５８は、プレビューの指示を、操作部４００が操作されることにより受け付ける。
【００４０】
プレビュー生成部５９は、プレビュー受付部５８によりプレビューの指示が受け付けられると、設定記憶部５２に記憶されている設定値の条件で、画像データ記憶部５１に記憶されている画像データにより表される画像が、用紙に形成された場合のプレビュー画像を生成する。
【００４１】
表示受付部６０は、表示部４０３にプレビュー画像が表示された後、はみ出し割合を表示する指示を、操作部４００が操作されることにより受け付ける。はみ出し割合演算部５３は、表示受付部６０によりはみ出し割合を表示する指示が受け付けられると、はみ出し割合を演算する。
【００４２】
はみ出し判定部６１は、プレビュー受付部５８によりプレビューの指示が受け付けられると、画像を用紙に形成する場合に、印刷領域と用紙の余白との境界に白画素が存在するか否かを検出する。そして、はみ出し判定部６１は、境界の全部に白画素が存在すれば、印刷領域から画像がはみ出していないと判定し、境界の少なくとも一部に白画素が存在しなければ、印刷領域から画像がはみ出していると判定する。
【００４３】
通信部６００はファクシミリ通信部６０１及びネットワークＩ／Ｆ部６０３を備える。ファクシミリ通信部６０１は相手先ファクシミリとの電話回線の接続を制御するＮＣＵ(Network Control Unit)及びファクシミリ通信用の信号を変復調する変復調回路を備える。ファクシミリ通信部６０１は電話回線６０５に接続される。
【００４４】
ネットワークＩ／Ｆ部６０３はＬＡＮ(Local Area Network)６０７に接続される。ネットワークＩ／Ｆ部６０３はＬＡＮ６０７に接続されたパソコン等の端末装置との間で通信を実行するための通信インターフェイス回路である。
【００４５】
画像のうち用紙の印刷領域からはみ出している部分(はみ出し部分)の面積の割合を示すはみ出し割合について、図形画像及び文字画像を例に説明する。
【００４６】
図３は、図形画像を切り出して得られた切出画像を、用紙の印刷領域に配置する工程を説明する工程図である。この工程は、切出画像生成部５４及びはみ出し部分特定部５５により実行される。
【００４７】
図３の(Ａ)は、図形が描かれた原稿を読み取って得られた画像１０の一例を示している。原稿のサイズは、例えばレターサイズとする。画像１０には、原稿の余白に対応する領域を含む外側の白領域１１が存在する。
【００４８】
図３の(Ｂ)は、画像１０から白領域１１を取り除いて、実際の画像領域１２を含む切出画像１３の一例を示している。ここで、画像１０から切出画像１３を得る処理の一例を説明する。
【００４９】
切出画像生成部５４は、画像１０を構成する画素の縦ラインにおいて、画像１０の左側から縦ラインを調べて、白画素のみから構成されない縦ラインが最初に現れると、その縦ラインの直前の縦ラインが白領域１１の左縦ライン１１ａとする。同様に、画像１０の右側から縦ラインを調べて、白画素のみから構成されない縦ラインが最初に現れると、その縦ラインの直前の縦ラインが白領域１１の右縦ライン１１ｂとする。
【００５０】
次に、切出画像生成部５４は、画像１０を構成する画素の横ラインにおいて、画像１０の上側から横ラインを調べて、白画素のみから構成されない横ラインが最初に現れると、その横ラインの直前の横ラインが白領域１１の上横ライン１１ｃとする。同様に、画像１０の下側から横ラインを調べて、白画素のみから構成されない横ラインが最初に現れると、その横ラインの直前の横ラインが白領域１１の下横ライン１１ｄとする。
【００５１】
切出画像生成部５４は、画像１０のうち、左縦ライン１１ａより左側の領域、右縦ライン１１ｂより右側の領域、上横ライン１１ｃより上側の領域、及び、下横ライン１１ｄより下側の領域を取り除いて、実際の画像領域１２を含む切出画像１３を作成する。
【００５２】
以上のように、切出画像生成部５４は、画像１０の領域を、左縦ライン１１ａ、右縦ライン１１ｂ、上横ライン１１ｃ及び下横ライン１１ｄにより規定して、四角形に切り出すことにより切出画像１３を生成する。このため、切出画像１３を比較的簡単に生成することができる。なお、切出画像生成部５４がエッジ検出処理を用いて、実際の画像領域１２のエッジを検出して、図４に示すように、実際の画像領域１２からなる切出画像１３を作成してもよい。
【００５３】
図３の(Ｃ)は、はみ出し部分特定部５５が、切出画像１３を用紙１４の印刷領域１４ａに配置した状態を示す図である。切出画像１３をＡ４サイズの用紙１４に形成する場合、用紙１４の印刷領域１４ａからはみ出す部分(斜線部分)が、画像１０のはみ出し部分１５となる。はみ出し部分１５とは、上述したように、画像のうち用紙の印刷領域からはみ出している部分をいう。はみ出し部分１５は画像を印刷した際に未印刷部分となる。はみ出し部分特定部５５は、印刷領域１４ａに切出画像１３を配置することにより、はみ出し部分１５を特定する。はみ出し割合演算部５３は、切出画像１３の面積とはみ出し部分１５の面積を用いて、切出画像１３のうち、はみ出し部分１５の領域の割合(はみ出し割合)を演算する。
【００５４】
次に、文字画像を用いて、はみ出し割合を説明する。図５は、文字画像を切り出して得られた切出画像を、用紙の印刷領域に配置する工程を説明する工程図である。この工程は、切出画像生成部５４及びはみ出し部分特定部５５により実行される。
【００５５】
図５の(Ａ)は、文字が描かれた原稿を読み取って得られた画像２０の一例を示している。原稿のサイズは、例えばＡ４サイズとする。画像２０には、原稿の余白に対応する領域を含む外側の白領域２１が存在する。
【００５６】
図５の(Ｂ)は、画像２０から白領域２１を取り除いて、実際の画像領域２２を含む切出画像２３の一例を示している。切出画像２３は切出画像１３と同様の処理で得ることができる。
【００５７】
図５の(Ｃ)は、切出画像２３が用紙２４の印刷領域２４ａに配置された状態を示す図である。切出画像２３をレターサイズの用紙２４に形成する場合、用紙２４の印刷領域２４ａからはみ出す部分(斜線部分)が、画像２０のはみ出し部分２５となる。はみ出し割合演算部５３は、切出画像２３の面積とはみ出し部分２５の面積とを用いて、切出画像２３のうち、はみ出し部分２５の割合(はみ出し割合)を演算する。
【００５８】
以上のように、はみ出し割合演算部５３は、原稿を読み取って得られた画像について、原稿の余白に対応する領域を含む白領域を、画像から取り除いて得られた切出画像を生成する。そして、はみ出し割合演算部５３は、切出画像の面積に対して、切出画像のうち印刷領域からはみ出している部分の面積の割合を示すはみ出し割合を演算する。これは、原稿の余白に対応する領域を含む白領域が印刷領域からはみ出していても、画像からその白領域を取り除いた、実際の画像領域を含む切出画像が印刷領域に収まっていれば、画像の見た目に影響を及ぼさないことを利用したものである。
【００５９】
次に、印刷領域から画像がはみ出しているか否かの判定について説明する。この判定は、はみ出し判定部６１により実行される。図３の(Ｃ)に示すように、印刷領域１４ａと用紙１４の余白との境界１６(二点鎖線)に、白画素が存在するか否かを検出し、境界１６の全部に白画素が存在すれば、画像(切出画像１３)が印刷領域１４ａからはみ出していないと判定する。境界１６の少なくとも一部に白画素が存在しなければ、画像(切出画像１３)が印刷領域１４ａからはみ出していると判定する。
【００６０】
図３の(Ｃ)に示すように、切出画像１３において、図形を構成する線が見切られているような場合、はみ出し判定部６１は、画像(切出画像１３)が印刷領域１４ａからはみ出しているか否かを正しく判定することができる。
【００６１】
しかし、はみ出し判定部６１によれば、境界１６の全部に白画素が存在すると共に、境界１６の外側に画像(切出画像１３)の一部が存在する場合、画像が印刷領域１４ａからはみ出していないと判定する。具体的に説明すると、例えば、図５の(Ｃ)に示すように、切出画像２３において、印刷領域２４ａと用紙２４の余白との境界２６上に、文字画像の行間(白紙領域)が位置しており、行間の部分で見切られている。よって、画像(切出画像２３)は印刷領域２４ａからはみ出しているが、はみ出し判定部６１は、画像(切出画像２３)が印刷領域２４ａからはみ出していないと判定する。
【００６２】
これに対して、はみ出し割合演算部５３によるはみ出し割合の演算によれば、図５の(Ｃ)に示す場合でも、画像(切出画像２３)が印刷領域２４ａからはみ出していることを、ユーザーに知らせることができる。
【００６３】
次に、本実施形態に係る画像形成装置１を用いて、はみ出し割合を演算して表示する工程を、コピーを例に説明する。図６及び図７はこれを説明するフローチャートである。
【００６４】
画像形成装置１の主電源がユーザーによってオンされると、表示制御部５６は表示部４０３に図８に示すようなコピー機能の初期画面４０ａを表示させる(ステップＳ１)。初期画面４０ａには、コピーの各種の設定キー(例えば、画像の倍率を設定するキー４１、用紙のサイズと向きを設定するキー４２)やタブが含まれる。用紙の印刷領域の設定については、レイアウト／編集のタブ４３を操作して、その設定画面にアクセスすることができる。
【００６５】
また、初期画面４０ａには、プレビューキー４４及び表示領域４５が含まれる。後で説明するように、プレビューキー４４を操作すると、原稿が読み取られ、その原稿の画像を用紙に形成した場合のプレビュー画像が表示領域４５に表示される。
【００６６】
ユーザーがコピーする原稿を図１に示す原稿載置部３０１又は原稿台２０３にセットし、初期画面４０ａを操作して、用紙のサイズ、向き、印刷領域、画像の倍率等を設定した場合(ステップＳ２でＹｅｓ)、その設定値が設定記憶部５２に記憶される(ステップＳ３)。コピーやプレビューは、その設定値に基づいて実行される。ユーザーが上記設定をしない場合(ステップＳ２でＮｏ)、設定記憶部５２に予め記憶されている設定値(デフォルト値)で、コピーやプレビューが実行される。
【００６７】
ユーザーによりプレビューキー４４が操作されると(ステップＳ４)、原稿読取部２００が原稿の画像を読み取る(ステップＳ５)。
【００６８】
制御部５００は、原稿読取部２００で読み取られた原稿の画像データを、画像データ記憶部５１に記憶させる(ステップＳ６)。
【００６９】
プレビュー生成部５９は、設定記憶部５２に記憶されている設定値に基づいて、画像データ記憶部５１に記憶されているその画像データを用いて、プレビュー画像を生成する(ステップＳ７)。設定値とは、ステップＳ２で用紙のサイズ等の設定がされた場合は、その設定値であり、用紙のサイズ等の設定がされていない場合は、デフォルト値である。
【００７０】
はみ出し判定部６１は、設定記憶部５２に記憶されている設定値に基づいて、画像を用紙に形成した場合、画像が用紙の印刷領域からはみ出すか否か判定する(ステップＳ８)。
【００７１】
はみ出し判定部６１が、画像が用紙の印刷領域からはみ出すと判定した場合(ステップＳ８でＹｅｓ)、表示制御部５６は、例えば、図９に示すように、プレビュー画像４６ａと、「画像が印刷領域からはみ出しています」の文字画像４７ａと、を含む画面４０ｂを表示部４０３に表示させる(ステップＳ９)。画面４０ｂには、さらに、コピーの実行を指示するキー４８ａ、コピーをキャンセルするキー４８ｂ、はみ出し割合を表示させるキー４８ｃが含まれる。
【００７２】
ユーザーがはみ出し割合のキー４８ｃを操作した場合(ステップＳ１０でＹｅｓ)、表示受付部６０は、その指示を受け付ける。そして、はみ出し割合演算部５３は、設定記憶部５２に記憶されている設定値の条件の下で、はみ出し割合を演算する(ステップＳ１１)。そして、例えば、図１０に示すように、表示制御部５６は、はみ出し割合の値(例えば、１％)を示す画面４０ｃを表示部４０３に表示させる(ステップＳ１２)。ユーザーは、プレビュー画像４６ａとはみ出し割合とを参考にして、コピーを実行するか、キャンセルするか選択する。
【００７３】
ユーザーがキー４８ａを操作してコピーの実行を指示した場合(ステップＳ１３でＹｅｓ)、画像形成受付部５７はその指示を受け付け、装置本体１００は、画像を用紙に形成して出力する(ステップＳ１４)。すなわち、画像形成部１０３は、画像データ記憶部５１に記憶されており、プレビュー画像の生成に用いた画像データで表される画像を、用紙に形成する。定着部１０５により画像を用紙に定着する処理がされた後、画像が形成された用紙(コピー)が出力される。
【００７４】
ユーザーがコピーを指示しない場合(ステップＳ１３でＮｏ)、すなわち、コピーを中止するキー４８ｂを操作した場合、表示制御部５６は表示部４０３にプレビュー画像の表示を終了させる(ステップＳ１５)。
【００７５】
一方、ユーザーが、はみ出し割合のキー４８ｃを操作しない場合(ステップＳ１０でＮｏ)、ステップＳ１３へ進む。
【００７６】
また、ステップＳ８において、はみ出し判定部６１が、用紙の印刷領域から画像がはみ出していると判定しない場合(ステップＳ８でＮｏ)、表示制御部５６は、例えば、図１１に示すように、プレビュー画像４６ｂ、及び「画像が印刷領域からはみ出しているかを確認する場合、はみ出し割合のキーを操作して下さい」の文字画像４７ｂを含む画面４０ｄを、表示部４０３に表示させる(ステップＳ１６)。画面４０ｄには、さらに、コピーの実行を指示するキー４８ａ、コピーをキャンセルするキー４８ｂ、はみ出し割合を表示させるキー４８ｃが含まれる。
【００７７】
図５の(Ｃ)で説明したように、切出画像２３において、印刷領域２４ａと用紙２４の余白との境界２６上に、文字画像の行間(白紙領域)が位置しており、行間の部分が切られている。よって、画像(切出画像２３)は印刷領域２４ａからはみ出しているが、はみ出し判定部６１は、画像(切出画像２３)が印刷領域２４ａからはみ出していないと判定する。このように、はみ出し判定部６１によれば、画像が印刷領域からはみ出しているのに、はみ出していないと判定する場合がある。このような場合に対応するために、はみ出し割合を表示できるようにしている。
【００７８】
ステップＳ１６後、ステップＳ１０に進む。ユーザーが、はみ出し割合のキー４８ｃを操作すれば(ステップＳ１０でＹｅｓ)、はみ出し割合の演算(ステップＳ１１)等の処理が実行される。一方、はみ出し割合のキー４８ｃを操作しなければ(ステップＳ１０でＮｏ)、ステップＳ１３へ進む。
【００７９】
本実施形態の主な効果を説明する。本実施形態によれば、画像データにより表される画像を用紙に形成した場合のはみ出し割合を演算し、表示させることができる(ステップＳ１１，Ｓ１２)。そして、はみ出し割合が表示された後、画像を用紙に形成する指示がされると(ステップＳ１３でＹｅｓ)、画像を用紙に形成して出力する(ステップＳ１４)。従って、画像が用紙の印刷領域からはみ出していることを、画像を用紙に形成して出力する前に、ユーザーに知らせることができる。また、画像が印刷領域からはみ出している場合、はみ出し割合を参考にして、画像を用紙に形成して出力するか否かを選択することができる。
【００８０】
また、本実施形態によれば、プレビュー画像の表示後(ステップＳ９，Ｓ１６)に、はみ出し割合を表示させることができる(ステップＳ１２)。これにより、ユーザーは、プレビュー画像及びはみ出し割合を参考にして、画像を用紙に形成して出力するか否かを選択することができる。特に、画像が用紙の印刷領域から僅かだけはみ出しており、そのため、プレビュー画像によって、画像のはみ出しを発見することが難しい場合に、有効である。
【００８１】
さらに、本実施形態によれば、ステップＳ８で説明したように、印刷領域と用紙の余白との境界に白画素が存在するか否かを検出し、境界の全部に白画素が存在すれば、印刷領域から画像がはみ出していないと判定し、境界の少なくとも一部に白画素が存在しなければ、印刷領域から画像がはみ出していると判定する。従って、画像が印刷領域からはみ出しているか否かを、比較的簡単に判定することができる。そして、プレビュー画像と一緒に、画像が印刷領域からはみ出していることを示す報知を表示部に表示させている(ステップＳ９)。従って、画像が用紙の印刷領域から僅かだけはみ出しており、そのため、プレビュー画像によって、画像のはみ出しを発見することが難しい場合に、有効である。
【００８２】
また、本実施形態によれば、原稿読取部２００により原稿を読み取って生成された画像データで表される画像に対して、はみ出し割合を演算し表示する(ステップＳ５，Ｓ１１，Ｓ１２)。原稿のサイズと用紙のサイズとが僅かに異なる場合(例えば、原稿がレターサイズ、用紙がＡ４サイズ)、これらのサイズが異なることに気づかずに、デフォルトの設定でコピーをすると、画像が印刷領域からはみ出すことがある。このような場合、本実施形態によれば、画像を用紙に形成して出力する前に、ユーザーに知らせることができる。
【００８３】
本実施形態の変形例を説明する。変形例に係る画像形成装置は、プレビュー画像を表示する機能を有さない。変形例に係る画像形成装置１を用いて、はみ出し割合を演算して表示する工程を、コピーを例に説明する。図１２はこれを説明するフローチャートである。図６及び図７に示すフローチャートと同じステップについては、同一符号を付している。
【００８４】
画像形成装置１の主電源がユーザーによってオンされると、表示制御部５６は表示部４０３に初期画面を表示させる(ステップＳ１)。ここでの初期画面は、例えば図８に示す初期画面から、プレビューキー４４及びプレビュー画像の表示領域４５を取り除いた画面である。
【００８５】
ステップＳ２，Ｓ３後、ユーザーによりスタートキー４０５(図１)が操作されると(ステップＳ３−１)、コピー動作が開始し、原稿読取部２００が原稿の画像を読み取る(ステップＳ５)。
【００８６】
制御部５００は、原稿読取部２００で読み取られた原稿の画像データを、画像データ記憶部５１に記憶させる(ステップＳ６)。
【００８７】
はみ出し割合演算部５３は、ステップＳ３に示す設定記憶部５２に記憶されている設定値の条件の下で、はみ出し割合を演算する(ステップＳ１１)。そして、例えば、図１０に示すように、表示制御部５６は、はみ出し割合の値(例えば、１％)を示す画面４０ｃを表示部４０３に表示させる(ステップＳ１２)。但し、変形例はプレビュー機能を有さないので、プレビュー画像４６ａは表示されない。ユーザーは、はみ出し割合を参考にして、コピーを実行するか、キャンセルするか選択する。
【００８８】
ユーザーがキー４８ａを操作してコピーの実行を指示した場合(ステップＳ１３でＹｅｓ)、画像形成受付部５７はその指示を受け付け、装置本体１００は、画像を用紙に形成して出力する(ステップＳ１４)。
【００８９】
ユーザーがコピーを指示しない場合(ステップＳ１３でＮｏ)、すなわち、キー４８ｂを操作した場合、コピーが中止され、画像は用紙に形成されない。
【００９０】
変形例によれば、画像データにより表される画像を用紙に形成した場合のはみ出し割合を演算し、表示させることができる。そして、はみ出し割合が表示された後、画像を用紙に形成する指示がされると、画像を用紙に形成して出力する。従って、プレビュー画像を用いなくても、画像が用紙の印刷領域からはみ出していることを、画像を用紙に形成して出力する前に、ユーザーに知らせることができる。また、画像が印刷領域からはみ出している場合、はみ出し割合を参考にして、画像を用紙に形成して出力するか否かを選択することができる。
【符号の説明】
【００９１】
１  画像形成装置
１０，２０  画像
１１，２１  白領域
１２，２２  実際の画像領域
１３，２３  切出画像
１４，２４  用紙
１４ａ，２４ａ  印刷領域
１５，２５  はみ出し部分
１６，２６  境界
４６ａ，４６ｂ  プレビュー画像
４７ａ，４７ｂ  文字画像
【図１】
0005564470.tif 000002
【図２】
0005564470.tif 000003
【図３】
0005564470.tif 000004
【図４】
0005564470.tif 000005
【図５】
0005564470.tif 000006
【図６】
0005564470.tif 000007
【図７】
0005564470.tif 000008
【図８】
0005564470.tif 000009
【図９】
0005564470.tif 000010
【図１０】
0005564470.tif 000011
【図１１】
0005564470.tif 000012
【図１２】
0005564470.tif 000013